(57)【要約】【課題】      軽量かつ耐久性、自立性に優れた釣り用ケ−スを提供することである。【解決手段】  釣り用ケ−スはケ−ス本体１が周回する側壁Ａと底部２で上方に開口を有する直方体状に構成されて側壁Ａは合成樹脂シ−トの内層６と合成樹脂シ−トの外層７及び合成樹脂発泡材の中間層８と中間層８の間に合成樹脂シ−トの補強板９を介在させて構成され、合成樹脂シ−トの内層６と外層７の材料は、ＥＶＡ（エチレン酢酸ビニ−ル）のシ−ト材で、中間層８の合成樹脂発泡材はＰＵ（ポリウレタン）で、補強板９の合成樹脂シ−ト材は、ＰＥ（ポリエチレン）の板やＰＣ（ポリカ−ボネ−ト）の板やＰＵ（ポリウレタン）の板が使用されて補強板９は内層６及び外層７より曲げ剛性が大きい材料が使用され、中間層８は補強板９に接着、溶着で一体的に止着されている。【選択図】        図２
2008022769.tif 000002
【特許請求の範囲】
【請求項１】
合成樹脂シ−トの内層と外層及び合成樹脂発泡材の中間層で形成されたケ−ス本体を有する釣り用ケ−スにおいて、前記中間層の間に合成樹脂シ−トの補強板を介在させたことを特徴とする釣り用ケ−ス。
【請求項２】
補強板は内層及び外層より曲げ剛性が大きいことを特徴とする請求項１記載の釣り用ケ−ス。
【請求項３】
中間層は補強板に合成樹脂発泡材を一体的に止着したことを特徴とする請求項１記載の釣り用ケ−ス。
【発明の詳細な説明】
【技術分野】
【０００１】
本発明は、魚釣り等に用いる釣り用ケ−スに関する。
【背景技術】
【０００２】
従来からＥＶＡ（エチレン酢酸ビニ−ル）等の合成樹脂シ−トで形成した釣用容器が用いられている。
これらの釣用容器は持ち運び易いように軽量で、柔軟性を有する合成樹脂シ−トで形成されているため、自立性がなく形崩れしやすいという不具合があった。
また特許文献１のように、多層の素材で形成されると共にメッシュ状の補強層を組み込んで強度を向上させた釣用容器もある。
【特許文献１】特開２００２−２７８８６号公報
【発明の開示】
【発明が解決しようとする課題】
【０００３】
解決しようとする問題点は、柔軟性を有する合成樹脂シ−トで形成されていると軽量で持ち運び易いが自立性がなく形崩れしやすく、外部からの衝撃に弱い不具合があることである。
【０００４】
本発明の目的は前記欠点に鑑み、軽量かつ耐久性、自立性に優れた釣り用ケ−スを提供することである。
【課題を解決するための手段】
【０００５】
本発明の請求項１は、合成樹脂シ−トの内層と外層及び合成樹脂発泡材の中間層で形成されたケ−ス本体を有する釣り用ケ−スにおいて、前記中間層の間に合成樹脂シ−トの補強板を介在させたことを要旨とするものである。
本発明の請求項２は、補強板は内層及び外層より曲げ剛性が大きいことを要旨とするものである。
本発明の請求項３は、中間層は補強板に合成樹脂発泡材を一体的に止着したことを要旨とするものである。
【発明の効果】
【０００６】
本発明により、ケ−ス本体の側壁が合成樹脂シ−トの内層と合成樹脂シ−トの外層及び合成樹脂発泡材の中間層と中間層の間に、内層及び外層より曲げ剛性が大きい材料の合成樹脂シ−トが使用された補強板を介在させて構成されているので、軽量で持ち運び易いと共に、耐久性、保冷性、自立性に優れ、形崩れし難い。
中間層の中間に補強板を入れることによって、中間層の柔軟性や可撓性によって外力による衝撃や内部から氷等による衝撃に対して補強板が折れたり、曲げの癖付けが避けられる。
【発明を実施するための最良の形態】
【０００７】
釣り用ケ−スはケ−ス本体１が周回する側壁Ａと底部２で上方に開口を有する直方体状に構成されて側壁Ａの後壁に蓋体３がヒンジ部４で連結され、側壁Ａの開口縁と蓋体３の周囲は係合チャック５で開閉自在に閉じられるように連結されている。
底部２は合成樹脂材で皿状に形成されている。
側壁Ａは合成樹脂シ−トの内層６と合成樹脂シ−トの外層７及び合成樹脂発泡材の中間層８と中間層８の間に合成樹脂シ−トの補強板９を介在させて構成されている。
合成樹脂シ−トの内層６と外層７の材料は、ＥＶＡ（エチレン酢酸ビニ−ル）で、中間層８の合成樹脂発泡材はＰＵ（ポリウレタン）が使用されている。
補強板９の合成樹脂シ−ト材は、ＰＥ（ポリエチレン）の板やＰＣ（ポリカ−ボネ−ト）の板やＰＵ（ポリウレタン）の板が使用されて補強板９は内層６及び外層７より曲げ剛性が大きい材料が使用されている。
中間層８は補強板９に接着、溶着で一体的に止着されている。
【実施例１】
【０００８】
以下、図示の一実施例によって本発明を説明すると、図１は釣り用ケ−スの斜視図、図２は釣り用ケ−スの断面側面図である。
【０００９】
釣り用ケ−スは、ケ−ス本体１が周回する側壁Ａと底部２で上方に開口を有する直方体状に構成されて側壁Ａの後壁に蓋体３がヒンジ部４で連結され、側壁Ａの開口縁と蓋体３の周囲は係合チャック５で開閉自在に閉じられるように連結されている。
底部２は合成樹脂材で皿状に形成されている。
ケ−ス本体１の側壁Ａの両側には係止具１０が取り付けられて肩掛けベルト１１が連結される。
側壁Ａは合成樹脂シ−トの内層６と合成樹脂シ−トの外層７及び合成樹脂発泡材の中間層８と中間層８の間に合成樹脂シ−トの補強板９を介在させて構成されている。
側壁Ａを形成する時、内層６の上縁は外側に折り曲げられて外層７の外側で係合チャック５のケ−ス本体１側を挟んで縫着や接着や溶着で接合されている。
合成樹脂シ−トの内層６と外層７の材料は、ＥＶＡ（エチレン酢酸ビニ−ル）のシ−ト材で、中間層８の合成樹脂発泡材はＰＵ（ポリウレタン）が使用されている。
中間層８は内層６、外層７より大きな厚味を有している。
補強板９の合成樹脂シ−ト材は、ＰＥ（ポリエチレン）の板やＰＣ（ポリカ−ボネ−ト）の板やＰＵ（ポリウレタン）の板が使用されて可撓性を有しているが補強板９は内層６及び外層７より曲げ剛性が大きい材料が使用されている。
中間層８は補強板９に接着、溶着で一体的に止着されたり、又は金型内で一体的に成形されて形成されている。
側壁Ａの下端には、側壁Ａの下端の内層６と外層７が接合されて底部２の周囲の立ち上がり部２ａの内側に接合されている。
【００１０】
補強板９は中間層８の中間に入れることによって、中間層８の柔軟性や可撓性によって外力による衝撃や内部から氷等による衝撃に対して補強板９が破損することが避けられる。
合成樹脂発泡材の中間層８に合成樹脂シ−トの補強板９を介在させることにより、外力による衝撃に対して合成樹脂発泡材の中間層が折れたり、曲げの癖付けが付いてしまうことが避けられ、側壁Ａは柔軟性を有しながら折り曲がりにくく、形崩れしにくく、保冷性を有し、硬質材で出来たク−ラ−などに比較して割れたりすることがなく、軽量化される。
補強板９には適宜複数の透孔を穿設して軽量化を図ってもよい。
【００１１】
前記のように釣り用ケ−スが構成されると、ケ−ス本体１の側壁Ａが合成樹脂シ−トの内層６と外層７及び合成樹脂発泡材の中間層８と中間層８の間に、内層６及び外層７より曲げ剛性が大きい材料の合成樹脂シ−トが使用された補強板９を介在させて構成されているので、軽量で持ち運び易いと共に、耐久性、保冷性、自立性に優れ、形崩れし難い。
中間層８の中間に補強板９を入れることによって、中間層８の柔軟性や可撓性によって外力による衝撃や内部から氷等による衝撃に対して補強板９が折れたり、曲げの癖付けが避けられる。
【産業上の利用可能性】
【００１２】
前記説明では、釣り用ケ−スの全般に利用できる。
【図面の簡単な説明】
【００１３】
【図１】釣り用ケ−スの斜視図である。
【図２】釣り用ケ−スの断面側面図である。
【符号の説明】
【００１４】
Ａ  側壁
１  ケ−ス本体
６  内層
７  外層
８  中間層
９  補強板
【図１】
2008022769.tif 000003
【図２】
2008022769.tif 000004